(57)【要約】【解決手段】本発明は液晶ディスプレイパネル及びゲート駆動回路を提供するものである。当該液晶ディスプレイパネル（３０）は、マトリクス状に配列された複数のピクセルユニット（Ｐｉｘｅｌ１１−Ｐｉｘｅｌ２４）と；２本ごとに一行のピクセルユニットが対応し、同一の行にあるピクセルユニットに含まれるピクセルユニットに交互に接続された複数本の走査線（Ｇ１−Ｇ５）と；ゲート駆動回路（３１）と；隣接する２列のピクセルユニットにそれぞれ接続された複数本のデータ線（Ｄ１−Ｄ３）と；データ駆動回路（３２）と、を含む。ここで、同一の行にあるピクセルユニットに対応する２本の走査線上のゲート駆動信号は異なる駆動能力を有する。上述の方式により、ディスプレイパネル（３０）の輝度における差異を軽減し、表示効果を向上させることができる。【選択図】図１
2020535470.tif 000002
【特許請求の範囲】
【請求項１】
マトリクス状に配列された複数のピクセルユニットと、
２本ごとに同一の行の前記ピクセルユニットが対応し、同一の行にある前記ピクセルユニットに含まれるピクセルユニットに交互に接続された複数本の走査線と、
前記走査線上にゲート駆動信号を順次供給することで、前記走査線に接続された前記ピクセルユニットがオンとなるように制御するゲート駆動回路と、
各列の前記ピクセルユニット近傍に間隔を置いて設けられ、隣接する２列の前記ピクセルユニットにそれぞれ接続された複数本のデータ線と、
極性反転方式によりデータ駆動信号を前記データ線に供給することで、前記データ線に接続され且つオン状態にある前記ピクセルユニットに対して充電を行なうデータ駆動回路と、を含む液晶ディスプレイパネルであって、
同一の行にある前記ピクセルユニットに対応する２本の前記走査線の内の１本目の走査線に接続された前記ピクセルユニットは、前記データ駆動信号の極性反転前にオンとなり、２本目の走査線に接続された前記ピクセルユニットは、前記データ駆動信号の極性反転後又は極性反転と同時にオンとなり、
前記１本目の走査線上の前記ゲート駆動信号の駆動能力が前記２本目の走査線上の前記ゲート駆動信号の駆動能力よりも高いため、前記データ駆動信号の極性反転により生じる充電上の差異が解消され、
前記複数本の走査線上の前記ゲート駆動信号は列方向に沿って順次、前記データ駆動信号の極性反転周期の４分の１ずつずれることを特徴とする液晶ディスプレイパネル。
【請求項２】
前記１本目の走査線上の前記ゲート駆動信号のパルス高の少なくとも一部が前記２本目の走査線上の前記ゲート駆動信号のパルス高よりも高いことを特徴とする請求項１に記載の液晶ディスプレイパネル。
【請求項３】
前記１本目の走査線上の前記ゲート駆動信号のパルス幅は、前記２本目の走査線上の前記ゲート駆動信号のパルス幅よりも大きいことを特徴とする請求項１に記載の液晶ディスプレイパネル。
【請求項４】
前記ゲート駆動回路は、前記液晶ディスプレイパネルの一側に設けられていることを特徴とする請求項１に記載の液晶ディスプレイパネル。
【請求項５】
前記データ駆動回路は、前記液晶ディスプレイパネルの他側に設けられていることを特徴とする請求項１に記載の液晶ディスプレイパネル。
【請求項６】
前記複数本の走査線と前記複数本のデータ線は互いに垂直であることを特徴とする請求項１に記載の液晶ディスプレイパネル。
【請求項７】
マトリクス状に配列された複数のピクセルユニットと、
２本ごとに同一の行の前記ピクセルユニットが対応し、同一の行にある前記ピクセルユニットに含まれるピクセルユニットに交互に接続された複数本の走査線と、
前記走査線上にゲート駆動信号を順次供給することで、前記走査線に接続された前記ピクセルユニットがオンとなるように制御するゲート駆動回路と、
各列の前記ピクセルユニット近傍に間隔を置いて設けられ、隣接する２列の前記ピクセルユニットにそれぞれ接続された複数本のデータ線と、
極性反転方式によりデータ駆動信号を前記データ線に供給することで、前記データ線に接続され且つオン状態にある前記ピクセルユニットに対して充電を行なうデータ駆動回路と、を含む液晶ディスプレイパネルであって、
同一の行にある前記ピクセルユニットに対応する２本の前記走査線上のゲート駆動信号が異なる駆動能力を有するため、前記データ駆動信号の極性反転により生じる充電上の差異が解消されることを特徴とする液晶ディスプレイパネル。
【請求項８】
同一の行にある前記ピクセルユニットに対応する２本の前記走査線の内の１本目の走査線に接続された前記ピクセルユニットは、前記データ駆動信号の極性反転前にオンとなり、２本目の走査線に接続された前記ピクセルユニットは、前記データ駆動信号の極性反転後又は極性反転と同時にオンとなり、
前記１本目の走査線上の前記ゲート駆動信号の駆動能力が前記２本目の走査線上の前記ゲート駆動信号の駆動能力よりも高いことを特徴とする請求項７に記載の液晶ディスプレイパネル。
【請求項９】
前記１本目の走査線上の前記ゲート駆動信号のパルス高の少なくとも一部が前記２本目の走査線上の前記ゲート駆動信号のパルス高よりも高いことを特徴とする請求項８に記載の液晶ディスプレイパネル。
【請求項１０】
前記１本目の走査線上の前記ゲート駆動信号のパルス幅は、前記２本目の走査線上の前記ゲート駆動信号のパルス幅よりも大きいことを特徴とする請求項８に記載の液晶ディスプレイパネル。
【請求項１１】
前記複数本の走査線上の前記ゲート駆動信号は列方向に沿って順次、前記データ駆動信号の極性反転周期の４分の１ずつずれることを特徴とする請求項７に記載の液晶ディスプレイパネル。
【請求項１２】
前記ゲート駆動回路は、前記液晶ディスプレイパネルの一側に設けられていることを特徴とする請求項７に記載の液晶ディスプレイパネル。
【請求項１３】
前記データ駆動回路は、前記液晶ディスプレイパネルの他側に設けられていることを特徴とする請求項７に記載の液晶ディスプレイパネル。
【請求項１４】
前記複数本の走査線と前記複数本のデータ線は互いに垂直であることを特徴とする請求項７に記載の液晶ディスプレイパネル。
【請求項１５】
第１駆動ステージと、
第２駆動ステージと、を含む液晶ディスプレイパネルに取り付けられるゲート駆動回路であって、
前記第１駆動ステージは第１クロック信号を受信し、且つ前記第１クロック信号に応じて第１ゲート駆動信号を出力し、
前記第２駆動ステージは第２クロック信号を受信し、且つ前記第２クロック信号に応じて第２ゲート駆動信号を出力し、
前記第１ゲート駆動信号の駆動能力と前記第２ゲート駆動信号の駆動能力とが異なるように前記第１クロック信号及び前記第２クロック信号が設定されていることを特徴とするゲート駆動回路。
【請求項１６】
前記第１クロック信号のパルス振幅が前記第２クロック信号のパルス振幅よりも高いため、前記第１ゲート駆動信号のパルス振幅が前記第２ゲート駆動信号のパルス振幅よりも高いことを特徴とする請求項１５に記載のゲート駆動回路。
【請求項１７】
前記第１クロック信号のパルス幅が前記第２クロック信号のパルス幅よりも大きいため、前記第１ゲート駆動信号のパルス幅が前記第２ゲート駆動信号のパルス幅よりも大きいことを特徴とする請求項１５に記載のゲート駆動回路。
【請求項１８】
第３駆動ステージと、
第４駆動ステージと、をさらに含み、
前記第３駆動ステージは第３クロック信号を受信し、且つ前記第３クロック信号に応じて第３ゲート駆動信号を出力し、
前記第４駆動ステージは第４クロック信号を受信し、且つ前記第４クロック信号に応じて第４ゲート駆動信号を出力し、
前記第３ゲート駆動信号の駆動能力と前記第１ゲート駆動信号の駆動能力とが同一、且つ前記第４ゲート駆動信号の駆動能力と前記第２ゲート駆動信号の駆動能力とが同一となるように前記第３クロック信号及び前記第４クロック信号が設定されていることを特徴とする請求項１５に記載のゲート駆動回路。
【請求項１９】
前記第１クロック信号乃至前記第４クロック信号の周期が等しく、且つ位相が順次４分の１周期ずれることにより、前記第１ゲート駆動信号乃至前記第４ゲート駆動信号の周期が等しく、且つ位相が順次４分の１周期ずれることを特徴とする請求項１８に記載のゲート駆動回路。
【発明の詳細な説明】
【背景技術】
【０００１】
液晶ディスプレイパネルは、高表示品質、低価格、及び携帯性等の利点を有し、様々な電子製品に広く用いられている。液晶ディスプレイ技術の弛まぬ発展に伴い、徐々に低下するパネルコストに対応するための新たな駆動方法が必要となり、当該新たな駆動方法は、一般的には、ｄａｔａ信号線の本数を減らし、且つｇａｔｅ側でＧＯＡ（Ｇａｔｅ  ｄｒｉｖｅｒ  ｏｎ  Ａｒｒａｙ）技術を採用することにより実現される。液晶ディスプレイパネルにおいて、常に正電圧又は負電圧の一方を印加して液晶分子を駆動させた場合、液晶分子は非常に損傷し易くなる。このため、液晶分子を駆動電圧による破壊から保護するためには、正負の電圧が交互になるように液晶分子を駆動させる必要がある。現在よく見られる極性反転方式として、フレーム反転、行反転、列反転、及びドット反転がある。ここで、ドット反転方式は最適な画面効果が得られるため、広く用いられている。しかし、充電時に極性反転を生じるピクセルユニットの充電率は低く、充電時に極性反転を生じないピクセルユニットの充電率は高い。充電率の差異は、表示パネル上に暗線及び明線を出現させ、表示効果を低下させ、ユーザーの使用体験に影響を与える場合がある。
【発明の概要】
【発明が解決しようとする課題】
【０００２】
本発明で主に解決しようとする技術課題は、ディスプレイパネル輝度の差異を軽減し、表示効果を向上させることができる液晶ディスプレイパネル及びゲート駆動回路を提供することである。
【課題を解決するための手段】
【０００３】
上述の技術課題を解決するために、本発明が採用する第１の技術案は液晶ディスプレイパネルに係るものであり、当該液晶ディスプレイパネルは、
マトリクス状に配列された複数のピクセルユニットと、
２本ごとに同一の行の前記ピクセルユニットが対応し、同一の行にある前記ピクセルユニットに含まれるピクセルユニットに交互に接続された複数本の走査線と、
前記走査線上にゲート駆動信号を順次供給することで、前記走査線に接続された前記ピクセルユニットがオンとなるように制御するゲート駆動回路と、
隣接する２列の前記ピクセルユニットにそれぞれ接続された複数本のデータ線と、
極性反転方式によりデータ駆動信号を前記データ線に供給することで、前記データ線に接続され且つオン状態にある前記ピクセルユニットに対して充電を行なうデータ駆動回路と、を含む。
【０００４】
ここで、同一の行にある前記ピクセルユニットに対応する２本の前記走査線上のゲート駆動信号が異なる駆動能力を有するため、前記データ駆動信号の極性反転により生じる充電上の差異が解消される。
【０００５】
上述の技術課題を解決するために、本発明が採用する他の技術案は、液晶ディスプレイパネルに取り付けられるゲート駆動回路に係るものであり、当該ゲート駆動回路は、
第１駆動ステージと、
第２駆動ステージと、を含み、
前記第１駆動ステージは第１クロック信号を受信し、且つ前記第１クロック信号に応じて第１ゲート駆動信号を出力し、
前記第２駆動ステージは第２クロック信号を受信し、且つ前記第２クロック信号に応じて第２ゲート駆動信号を出力する。
【０００６】
ここで、前記第１ゲート駆動信号の駆動能力と前記第２ゲート駆動信号の駆動能力とが異なるように前記第１クロック信号及び前記第２クロック信号が設定されている。
【発明の効果】
【０００７】
本発明の有益な効果は以下の通りである。従来技術との相違点として、本発明のディスプレイパネルでは、同一の行にあるピクセルユニットに対応する２本の走査線上のゲート駆動信号が異なる駆動能力を有することで、データ駆動信号の極性反転により生じる充電上の差異を解消するという目的が達成される。
【図面の簡単な説明】
【０００８】
【図１】本発明が提供する液晶ディスプレイパネルの第１実施形態に係る構造を示す概略図である。
【図２】本発明が提供する第１実施形態における、クロック信号、ゲート駆動信号及びピクセルユニットの充電電圧を示す概略図である。
【図３】本発明が提供する第２実施形態における、クロック信号、ゲート駆動信号及びピクセルユニットの充電電圧を示す概略図である。
【図４】本発明が提供する第３実施形態における、クロック信号、ゲート駆動信号及びピクセルユニットの充電電圧を示す概略図である。
【発明を実施するための形態】
【０００９】
以下において、本発明の実施形態に係る添付の図面を参照して、本発明の実施形態における技術案について明確かつ完全な記述を行なう。明らかに、下記の実施形態は本発明における一部の実施形態にすぎず、全ての実施形態ではない。本発明の実施形態に基づいて、本分野の通常の技術者が如何なる創造的労力も費やさずに得た他の全ての実施形態は、いずれも本発明の保護範囲に属するものである。
【００１０】
図１を参照されたい。図１は、本発明が提供する液晶ディスプレイパネルに係る実施形態の一部を示す構造概略図である。液晶ディスプレイパネル３０は、Ｐｉｘｅｌ１１、Ｐｉｘｅｌ１２、Ｐｉｘｅｌ１３、Ｐｉｘｅｌ１４、Ｐｉｘｅｌ２１、Ｐｉｘｅｌ２２、Ｐｉｘｅｌ２３及びＰｉｘｅｌ２４等の複数のピクセルユニットを含む。これらのピクセルユニットはマトリクス状に配列されている。ゲート駆動回路３１は、液晶ディスプレイパネル３０の一側に設けられており、第１駆動ステージ３１１と、第２駆動ステージ３１２と、第３駆動ステージ３１３と、第４駆動ステージ３１４とを含む。ゲート駆動回路３１は走査線に接続されており、複数の走査線上にゲート駆動信号を順次供給することで、走査線に接続されたピクセルユニットを行ごとにオンとする。走査線Ｇ１は第１駆動ステージ３１１に接続され、走査線Ｇ２は第２駆動ステージ３１２に接続され、走査線Ｇ３は第３駆動ステージ３１３に接続され、走査線Ｇ４は第４駆動ステージ３１４に接続されている。
【００１１】
２本の走査線ごとに一行のピクセルユニットが対応しており、これら２本の走査線は同一の行にあるピクセルユニットに含まれるピクセルユニットに交互に接続されている。例えば、走査線Ｇ１及び走査線Ｇ２は、同一の行のピクセルユニットである、Ｐｉｘｅｌ１１、Ｐｉｘｅｌ１２、Ｐｉｘｅｌ２１及びＰｉｘｅｌ２２に対応するが、走査線Ｇ１はピクセルユニットＰｉｘｅｌ１１に接続され、走査線Ｇ２は、ピクセルユニットＰｉｘｅｌ１１と同一の行にあり且つピクセルユニットＰｉｘｅｌ１１に隣接するピクセルユニットＰｉｘｅｌ１２に接続され、走査線Ｇ１は、ピクセルユニットＰｉｘｅｌ１２と同一の行にあり且つピクセルユニットＰｉｘｅｌ１２に隣接するピクセルユニットＰｉｘｅｌ２１に接続され、走査線Ｇ２は、ピクセルユニットＰｉｘｅｌ２１と同一の行にあり且つピクセルユニットＰｉｘｅｌ２１に隣接するピクセルユニットＰｉｘｅｌ２２に接続されている。
【００１２】
データ駆動回路３２は、液晶ディスプレイパネル３０の一側に設けられており、複数のデータ線に接続されており、以って、前記データ線に接続され且つゲート駆動信号による駆動の下オン状態にあるピクセルユニットに対して充電を行なう。各々のデータ線は、隣接する２列のピクセルユニットに接続されている。例えば、データ線Ｄ１は、ピクセルユニットＰｉｘｅｌ１１及びＰｉｘｅｌ１３が存在する列に接続されていると同時に、同列に隣接する、ピクセルユニットＰｉｘｅｌ１２及びＰｉｘｅｌ１４が存在する列にも接続されている。
【００１３】
走査線Ｇ１、走査線Ｇ２、走査線Ｇ３及び走査線Ｇ４はそれぞれ、データ線Ｄ１、Ｄ２及びＤ３に対して垂直である。他の実施態様において、走査線Ｇ１、走査線Ｇ２、走査線Ｇ３及び走査線Ｇ４はデータ線Ｄ１、Ｄ２及びＤ３に対して垂直でなくてもよく、任意の大きさの角度を呈することができる。
【００１４】
図２を併せて参照されたい。図２は、本発明が提供するピクセルユニットの充電効果に係る第１実施形態におけるパルス図である。信号ＣＫ１は第１駆動ステージ３１１が受信する第１クロック駆動信号であり、信号ＣＫ２は第２駆動ステージ３１２が受信する第２クロック駆動信号であり、信号ＣＫ３は第３駆動ステージ３１３が受信する第３クロック駆動信号であり、信号ＣＫ４は第４駆動ステージ３１４が受信する第４クロック駆動信号である。信号ＣＫ１、信号ＣＫ２、信号ＣＫ３及び信号ＣＫ４の周期は等しく、位相は順次４分の１周期ずれている。信号Ｇａｔｅ１は、第１駆動ステージ３１１が信号ＣＫ１に応じてゲート線Ｇ１に出力する第１ゲート駆動信号であり、信号Ｇａｔｅ２は、第２駆動ステージ３１２が信号ＣＫ２に応じてゲート線Ｇ２に出力する第２ゲート駆動信号であり、信号Ｇａｔｅ３は、第３駆動ステージ３１３が信号ＣＫ３に応じてゲート線Ｇ３に出力する第３ゲート駆動信号であり、信号Ｇａｔｅ４は、第４駆動ステージ３１４が信号ＣＫ４に応じてゲート線Ｇ４に出力する第４ゲート駆動信号である。信号Ｇａｔｅ１、信号Ｇａｔｅ２、信号Ｇａｔｅ３及び信号Ｇａｔｅ４の周期は等しく、位相は順次４分の１周期ずれている。信号Ｇａｔｅ１は、ゲート線Ｇ１に接続されたピクセルユニットＰｉｘｅｌ１１を駆動させ、信号Ｇａｔｅ２は、ゲート線Ｇ２に接続されたピクセルユニットＰｉｘｅｌ１２を駆動させ、信号Ｇａｔｅ３は、ゲート線Ｇ３に接続されたピクセルユニットＰｉｘｅｌ１３を駆動させ、信号Ｇａｔｅ４は、ゲート線Ｇ１に接続されたピクセルユニットＰｉｘｅｌ１４を駆動させる。
【００１５】
信号ＣＫ１及び信号ＣＫ３は同一のパルス振幅を有し、信号ＣＫ２及び信号ＣＫ４は同一のパルス振幅を有し、且つ信号ＣＫ１及び信号ＣＫ３のパルス振幅は信号ＣＫ２及び信号ＣＫ４のパルス振幅よりもΔＶだけ高い。従って、信号ＣＫ１に応じて出力される信号Ｇａｔｅ１、及び信号ＣＫ３に応じて出力される信号Ｇａｔｅ３は同一振幅のパルスを有し、信号ＣＫ２に応じて出力される信号Ｇａｔｅ２、及び信号ＣＫ４に応じて出力される信号Ｇａｔｅ４は同一振幅のパルスを有するため、信号Ｇａｔｅ１及び信号Ｇａｔｅ３のパルス振幅は信号Ｇａｔｅ２及び信号Ｇａｔｅ４のパルス振幅よりもΔＶだけ高い。ゲート駆動信号のパルス振幅が大きいほど、ピクセルユニットに対する駆動効果がより良くなり、ピクセルユニットの充電効率がより高くなる。これにより、信号Ｇａｔｅ１及び信号Ｇａｔｅ３によって駆動されるピクセルユニットＰｉｘｅｌ１１及びＰｉｘｅｌ１３の充電効率は、信号Ｇａｔｅ２及び信号Ｇａｔｅ４によって駆動されるピクセルユニットＰｉｘｅｌ１２及びＰｉｘｅｌ１４の充電効率よりも高い。
【００１６】
本実施形態では、信号ＣＫ１及び信号ＣＫ３のパルス振幅を増大させることにより、信号ＣＫ１及び信号ＣＫ３のパルス振幅が信号ＣＫ２及び信号ＣＫ４のパルス振幅よりも大きくなることを実現しているが、他の実施形態では、信号ＣＫ２及び信号ＣＫ４のパルス振幅を減少させ、又は信号ＣＫ１及び信号ＣＫ３のパルス振幅を増大させるとともに信号ＣＫ２及び信号ＣＫ４のパルス振幅を減少させることにより実現することができる。
【００１７】
信号Ｄａｔａ１は、データ駆動回路３２からデータ線Ｄ１に入力されるデータ信号であり、信号Ｄａｔａ２は、データ駆動回路３２からデータ線Ｄ２に入力されるデータ信号である。信号Ｄａｔａ１及び信号Ｄａｔａ２の周期は等しく、極性は逆である。
【００１８】
図２に示すように、ピクセルユニットＰｉｘｅｌ１１は、信号Ｇａｔｅ１による駆動の下、信号Ｄａｔａ１の極性が反転する前にオンとなる。ピクセルユニットＰｉｘｅｌ１１は、オン状態における前半の４分の１周期内にＤａｔａ１から入力される高電位により充電され、Ｇａｔｅ１による駆動の下、オン状態における後半の４分の１周期内にＤａｔａ１から入力される低電位により充電されるため、充電期間内に極性反転が生じ、充電は不完全なものとなる。ピクセルユニットＰｉｘｅｌ１２は、信号Ｇａｔｅ２による駆動の下、信号Ｄａｔａ１の極性が反転した後にオンとなる。ピクセルユニットＰｉｘｅｌ１２は、オン状態にある全期間においてＤａｔａ１から入力される低電位により充電されるため、極性反転が生じることもなく、充電は完全なものとなる。
【００１９】
信号Ｇａｔｅ１によって駆動されるピクセルユニットＰｉｘｅｌ１１の充電効率は、信号Ｇａｔｅ２によって駆動されるピクセルユニットＰｉｘｅｌ１２の充電効率よりも高い。このため、ピクセルユニットＰｉｘｅｌ１１はその充電過程において極性反転を生じているものの、ピクセルユニットＰｉｘｅｌ１１とピクセルユニットＰｉｘｅｌ１２との間の充電量の差は比較的小さい。
【００２０】
同様に、ピクセルユニットＰｉｘｅｌ１３は、信号Ｇａｔｅ３による駆動の下、信号Ｄａｔａ１の極性が反転する前にオンとなる。ピクセルユニットＰｉｘｅｌ１３は、オン状態における前半の４分の１周期内にＤａｔａ１から入力される低電位により充電され、Ｇａｔｅ３による駆動の下、オン状態における後半の４分の１周期内にＤａｔａ１から入力される高電位により充電されるため、充電期間内に極性反転が生じ、充電は不完全なものとなる。ピクセルユニットＰｉｘｅｌ１４は、信号Ｇａｔｅ４による駆動の下、信号Ｄａｔａ１の極性が反転した後にオンとなる。ピクセルユニットＰｉｘｅｌ１３は、オン状態にある全期間においてＤａｔａ１から入力される高電位により充電されるため、極性反転が生じることもなく、充電は完全なものとなる。
【００２１】
信号Ｇａｔｅ３によって駆動されるピクセルユニットＰｉｘｅｌ１３の充電効率は、信号Ｇａｔｅ４によって駆動されるピクセルユニットＰｉｘｅｌ１４の充電効率よりも高い。このため、ピクセルユニットＰｉｘｅｌ１３はその充電過程において極性反転を生じているものの、ピクセルユニットＰｉｘｅｌ１３とピクセルユニットＰｉｘｅｌ１４との間の充電量の差は比較的小さい。
【００２２】
ピクセルユニットＰｉｘｅｌ２１、Ｐｉｘｅｌ２２、Ｐｉｘｅｌ２３及びＰｉｘｅｌ２４における充電の原理は、ピクセルユニットＰｉｘｅｌ１１、Ｐｉｘｅｌ１２、Ｐｉｘｅｌ１３及びＰｉｘｅｌ１４の充電の原理に類似しているため、ここではその説明を省略する。
【００２３】
他の実施形態において、ゲート駆動回路は６つ若しくは８つ、又はさらに多数の駆動ステージを含むことができ、駆動ステージの数が偶数であることのみが条件である。
【００２４】
上記によれば、本実施形態では、充電時に極性反転を生じるピクセルユニットを駆動させるためのゲート駆動信号の電圧を上げることにより、これらピクセルユニットの充電効率を上げ、これら充電時に極性反転を生じるピクセルユニットと、充電時に極性反転を生じないピクセルユニットとの間の充電量の差を縮め、以って、ディスプレイ輝度における差異を減少させ、表示効果を向上させることができる。
【００２５】
図１及び図３を併せて参照されたい。図３は、本発明が提供するピクセルユニットの充電効果に係る第２実施形態におけるパルス図である。信号ＣＫ１は第１駆動ステージ３１１が受信する第１クロック駆動信号であり、信号ＣＫ２は第２駆動ステージ３１２が受信する第２クロック駆動信号であり、信号ＣＫ３は第３駆動ステージ３１３が受信する第３クロック駆動信号であり、信号ＣＫ４は第４駆動ステージ３１４が受信する第４クロック駆動信号である。信号ＣＫ１、信号ＣＫ２、信号ＣＫ３及び信号ＣＫ４の周期は等しく、位相は順次４分の１周期ずれている。信号Ｇａｔｅ１は、第１駆動ステージ３１１が信号ＣＫ１に応じてゲート線Ｇ１に出力する第１ゲート駆動信号であり、信号Ｇａｔｅ２は、第２駆動ステージ３１２が信号ＣＫ２に応じてゲート線Ｇ２に出力する第２ゲート駆動信号であり、信号Ｇａｔｅ３は、第３駆動ステージ３１３が信号ＣＫ３に応じてゲート線Ｇ３に出力する第３ゲート駆動信号であり、信号Ｇａｔｅ４は、第４駆動ステージ３１４が信号ＣＫ４に応じてゲート線Ｇ４に出力する第４ゲート駆動信号である。信号Ｇａｔｅ１、信号Ｇａｔｅ２、信号Ｇａｔｅ３及び信号Ｇａｔｅ４の周期は等しく、位相は順次４分の１周期ずれている。信号Ｇａｔｅ１は、ゲート線Ｇ１に接続されたピクセルユニットＰｉｘｅｌ１１を駆動させ、信号Ｇａｔｅ２は、ゲート線Ｇ２に接続されたピクセルユニットＰｉｘｅｌ１２を駆動させ、信号Ｇａｔｅ３は、ゲート線Ｇ３に接続されたピクセルユニットＰｉｘｅｌ１３を駆動させ、信号Ｇａｔｅ４は、ゲート線Ｇ１に接続されたピクセルユニットＰｉｘｅｌ１４を駆動させる。
【００２６】
信号ＣＫ１及び信号ＣＫ３は同一のパルス振幅を有し、信号ＣＫ２及び信号ＣＫ４は同一のパルス振幅を有し、且つ信号ＣＫ１及び信号ＣＫ３のパルス振幅の後段は信号ＣＫ２及び信号ＣＫ４のパルス振幅よりもΔＶだけ高い。従って、信号ＣＫ１に応じて出力される信号Ｇａｔｅ１、及び信号ＣＫ３に応じて出力される信号Ｇａｔｅ３は同一振幅のパルスを有し、信号ＣＫ２に応じて出力される信号Ｇａｔｅ２、及び信号ＣＫ４に応じて出力される信号Ｇａｔｅ４は同一振幅のパルスを有するため、信号Ｇａｔｅ１及び信号Ｇａｔｅ３のパルス振幅の後段は信号Ｇａｔｅ２及び信号Ｇａｔｅ４のパルス振幅よりもΔＶだけ高い。ゲート駆動信号のパルス振幅が大きいほど、ピクセルユニットに対する駆動効果がより良くなり、ピクセルユニットの充電効率がより高くなる。これにより、信号Ｇａｔｅ１及び信号Ｇａｔｅ３によって駆動されるピクセルユニットＰｉｘｅｌ１１及びＰｉｘｅｌ１３の充電効率は、信号Ｇａｔｅ２及び信号Ｇａｔｅ４によって駆動されるピクセルユニットＰｉｘｅｌ１２及びＰｉｘｅｌ１４の充電効率よりも高い。
【００２７】
本実施形態では、信号ＣＫ１及び信号ＣＫ３の後段のパルス振幅を増大させることにより、信号ＣＫ１及び信号ＣＫ３のパルス振幅が信号ＣＫ２及び信号ＣＫ４のパルス振幅よりも大きくなることを実現しているが、他の実施形態では、信号ＣＫ２及び信号ＣＫ４のパルス振幅を減少させ、又は信号ＣＫ１及び信号ＣＫ３の後段のパルス振幅を増大させるとともに信号ＣＫ２及び信号ＣＫ４のパルス振幅を減少させることにより実現することができる。
【００２８】
他の実施形態では、信号ＣＫ１と信号ＣＫ３の高パルスが占める時間の割合は任意の割合でよく、必ずしも図３に示すような５０％の割合でなくてもよい。
【００２９】
信号Ｄａｔａ１は、データ駆動回路３２からデータ線Ｄ１に入力されるデータ信号であり、信号Ｄａｔａ２は、データ駆動回路３２からデータ線Ｄ２に入力されるデータ信号である。信号Ｄａｔａ１及び信号Ｄａｔａ２の周期は等しく、極性は逆である。
【００３０】
図３に示すように、ピクセルユニットＰｉｘｅｌ１１は、信号Ｇａｔｅ１による駆動の下、信号Ｄａｔａ１の極性が反転する前にオンとなる。ピクセルユニットＰｉｘｅｌ１１は、オン状態における前半の４分の１周期内にＤａｔａ１から入力される高電位により充電され、Ｇａｔｅ１による駆動の下、オン状態における後半の４分の１周期内にＤａｔａ１から入力される低電位により充電されるため、充電期間内に極性反転が生じ、充電は不完全なものとなる。ピクセルユニットＰｉｘｅｌ１２は、信号Ｇａｔｅ２による駆動の下、信号Ｄａｔａ１の極性が反転した後にオンとなる。ピクセルユニットＰｉｘｅｌ１２は、オン状態にある全期間においてＤａｔａ１から入力される低電位により充電されるため、極性反転が生じることもなく、充電は完全なものとなる。
【００３１】
信号Ｇａｔｅ１によって駆動されるピクセルユニットＰｉｘｅｌ１１の充電効率は、信号Ｇａｔｅ２によって駆動されるピクセルユニットＰｉｘｅｌ１２の充電効率よりも高い。このため、ピクセルユニットＰｉｘｅｌ１１はその充電過程において極性反転を生じているものの、ピクセルユニットＰｉｘｅｌ１１とピクセルユニットＰｉｘｅｌ１２との間の充電量の差は比較的小さい。
【００３２】
同様に、ピクセルユニットＰｉｘｅｌ１３は、信号Ｇａｔｅ３による駆動の下、信号Ｄａｔａ１の極性が反転する前にオンとなる。ピクセルユニットＰｉｘｅｌ１３は、オン状態における前半の４分の１周期内にＤａｔａ１から入力される低電位により充電され、Ｇａｔｅ３による駆動の下、オン状態における後半の４分の１周期内にＤａｔａ１から入力される高電位により充電されるため、充電期間内に極性反転が生じ、充電は不完全なものとなる。ピクセルユニットＰｉｘｅｌ１４は、信号Ｇａｔｅ４による駆動の下、信号Ｄａｔａ１の極性が反転した後にオンとなる。ピクセルユニットＰｉｘｅｌ１３は、オン状態にある全期間においてＤａｔａ１から入力される高電位により充電されるため、極性反転が生じることもなく、充電は完全なものとなる。
【００３３】
信号Ｇａｔｅ３によって駆動されるピクセルユニットＰｉｘｅｌ１３の充電効率は、信号Ｇａｔｅ４によって駆動されるピクセルユニットＰｉｘｅｌ１４の充電効率よりも高い。このため、ピクセルユニットＰｉｘｅｌ１３はその充電過程において極性反転を生じているものの、ピクセルユニットＰｉｘｅｌ１３とピクセルユニットＰｉｘｅｌ１４との間の充電量の差は比較的小さい。
【００３４】
ピクセルユニットＰｉｘｅｌ２１、Ｐｉｘｅｌ２２、Ｐｉｘｅｌ２３及びＰｉｘｅｌ２４における充電の原理は、ピクセルユニットＰｉｘｅｌ１１、Ｐｉｘｅｌ１２、Ｐｉｘｅｌ１３及びＰｉｘｅｌ１４の充電の原理に類似しているため、ここではその説明を省略する。
【００３５】
図１及び図４を併せて参照されたい。図４は、本発明が提供するピクセルユニットの充電効果に係る第３実施形態におけるパルス図である。信号ＣＫ１は第１駆動ステージ３１１が受信する第１クロック駆動信号であり、信号ＣＫ２は第２駆動ステージ３１２が受信する第２クロック駆動信号であり、信号ＣＫ３は第３駆動ステージ３１３が受信する第３クロック駆動信号であり、信号ＣＫ４は第４駆動ステージ３１４が受信する第４クロック駆動信号である。信号ＣＫ１、信号ＣＫ２、信号ＣＫ３及び信号ＣＫ４の周期は等しく、位相は順次４分の１周期ずれている。信号Ｇａｔｅ１は、第１駆動ステージ３１１が信号ＣＫ１に応じてゲート線Ｇ１に出力する第１ゲート駆動信号であり、信号Ｇａｔｅ２は、第２駆動ステージ３１２が信号ＣＫ２に応じてゲート線Ｇ２に出力する第２ゲート駆動信号であり、信号Ｇａｔｅ３は、第３駆動ステージ３１３が信号ＣＫ３に応じてゲート線Ｇ３に出力する第３ゲート駆動信号であり、信号Ｇａｔｅ４は、第４駆動ステージ３１４が信号ＣＫ４に応じてゲート線Ｇ４に出力する第４ゲート駆動信号である。信号Ｇａｔｅ１、信号Ｇａｔｅ２、信号Ｇａｔｅ３及び信号Ｇａｔｅ４の周期は等しく、位相は順次４分の１周期ずれている。信号Ｇａｔｅ１は、ゲート線Ｇ１に接続されたピクセルユニットＰｉｘｅｌ１１を駆動させ、信号Ｇａｔｅ２は、ゲート線Ｇ２に接続されたピクセルユニットＰｉｘｅｌ１２を駆動させ、信号Ｇａｔｅ３は、ゲート線Ｇ３に接続されたピクセルユニットＰｉｘｅｌ１３を駆動させ、信号Ｇａｔｅ４は、ゲート線Ｇ１に接続されたピクセルユニットＰｉｘｅｌ１４を駆動させる。
【００３６】
信号ＣＫ１及び信号ＣＫ３は同一のパルス幅を有し、信号ＣＫ２及び信号ＣＫ４は同一のパルス幅を有し、且つ信号ＣＫ１及び信号ＣＫ３のパルス幅は信号ＣＫ２及び信号ＣＫ４のパルス幅より大きい。従って、信号ＣＫ１に応じて出力される信号Ｇａｔｅ１、及び信号ＣＫ３に応じて出力される信号Ｇａｔｅ３は同一幅のパルスを有し、信号ＣＫ２に応じて出力される信号Ｇａｔｅ２、及び信号ＣＫ４に応じて出力される信号Ｇａｔｅ４は同一幅のパルスを有し、且つ信号Ｇａｔｅ１及び信号Ｇａｔｅ３のパルス幅は信号Ｇａｔｅ２及び信号Ｇａｔｅ４のパルス幅よりも大きい。ゲート駆動信号のパルス幅が大きいほど、ピクセルユニットの充電時間が長くなり、ピクセルユニットにおける毎回の充電量が多くなる。これにより、信号Ｇａｔｅ１及び信号Ｇａｔｅ３によって駆動されるピクセルユニットＰｉｘｅｌ１１及びＰｉｘｅｌ１３は、信号Ｇａｔｅ２及び信号Ｇａｔｅ４によって駆動されるピクセルユニットＰｉｘｅｌ１２及びＰｉｘｅｌ１４に比してより長い充電時間を有する。
【００３７】
本実施形態では、信号ＣＫ１及び信号ＣＫ３のパルス幅を増大させるとともに、信号ＣＫ２及び信号ＣＫ４のパルス幅を減少させることで、信号ＣＫ１及び信号ＣＫ３のパルス幅が信号ＣＫ２及び信号ＣＫ４のパルス幅よりも大きくなることを実現しているが、他の実施形態では、信号ＣＫ２及び信号ＣＫ４のパルス幅を減少させ、又は信号ＣＫ１及び信号ＣＫ３のパルス幅を増大させることにより実現することができる。
【００３８】
信号Ｄａｔａ１は、データ駆動回路３２からデータ線Ｄ１に入力されるデータ信号であり、信号Ｄａｔａ２は、データ駆動回路３２からデータ線Ｄ２に入力されるデータ信号である。信号Ｄａｔａ１及び信号Ｄａｔａ２の周期は等しく、極性は逆である。
【００３９】
図４に示すように、ピクセルユニットＰｉｘｅｌ１１は、信号Ｇａｔｅ１による駆動の下、信号Ｄａｔａ１の極性が反転する前にオンとなる。ピクセルユニットＰｉｘｅｌ１１は、オン状態における前半の４分の１周期内にＤａｔａ１から入力される高電位により充電され、Ｇａｔｅ１による駆動の下、オン状態における後半の４分の１周期内にＤａｔａ１から入力される低電位により充電されるため、充電期間内に極性反転が生じ、充電は不完全なものとなる。ピクセルユニットＰｉｘｅｌ１２は、信号Ｇａｔｅ２による駆動の下、信号Ｄａｔａ１の極性が反転した後にオンとなる。ピクセルユニットＰｉｘｅｌ１２は、オン状態にある全期間においてＤａｔａ１から入力される低電位により充電されるため、極性反転が生じることもなく、充電は完全なものとなる。ここで、信号Ｇａｔｅ１のパルス幅がより大きいため、ピクセルユニットＰｉｘｅｌ１１は、極性反転後においてより長い時間充電されるようになり、より多くの電気量が充電されることとなる。一方、信号Ｇａｔｅ２のパルス幅がより小さいため、ピクセルユニットＰｉｘｅｌ１２の充電時間はより短く、その充電量はより小さいものとなる。これにより、ピクセルユニットＰｉｘｅｌ１１とピクセルユニットＰｉｘｅｌ１２との間の充電量の差は比較的小さい。
【００４０】
同様に、ピクセルユニットＰｉｘｅｌ１３は、信号Ｇａｔｅ３による駆動の下、オン状態における前半の４分の１周期内にＤａｔａ１から入力される低電位により充電され、Ｇａｔｅ３による駆動の下、オン状態における後半の４分の１周期内にＤａｔａ１から入力される高電位により充電されるため、充電期間内に極性反転が生じ、充電は不完全なものとなる。ピクセルユニットＰｉｘｅｌ１４は、信号Ｇａｔｅ４による駆動の下、オン状態にある全期間においてＤａｔａ１から入力される高電位により充電されるため、極性反転が生じることもなく、充電は完全なものとなる。
【００４１】
ここで、信号Ｇａｔｅ３のパルス幅がより大きいため、ピクセルユニットＰｉｘｅｌ１３は、極性反転後においてより長い時間充電されるようになり、より多くの電気量が充電されることとなる。一方、信号Ｇａｔｅ４のパルス幅がより小さいため、ピクセルユニットＰｉｘｅｌ１４の充電時間はより短く、その充電量はより小さいものとなる。これにより、ピクセルユニットＰｉｘｅｌ１３とピクセルユニットＰｉｘｅｌ１４との間の充電量の差は比較的小さい。
【００４２】
ピクセルユニットＰｉｘｅｌ２１、Ｐｉｘｅｌ２２、Ｐｉｘｅｌ２３及びＰｉｘｅｌ２４における充電の原理は、ピクセルユニットＰｉｘｅｌ１１、Ｐｉｘｅｌ１２、Ｐｉｘｅｌ１３及びＰｉｘｅｌ１４の充電の原理に類似しているため、ここではその説明を省略する。
【００４３】
他の実施形態において、ゲート駆動回路は６つ若しくは８つ、又はさらに多数の駆動ステージを含むことができ、駆動ステージの数が偶数であることのみが条件である。
【００４４】
上記によれば、本実施形態では、充電時に極性反転を生じるピクセルユニットを駆動させるためのゲート駆動信号のパルス幅を長くすることにより、これらピクセルユニットの充電時間を延長し、これら充電時に極性反転を生じるピクセルユニットと、充電時に極性反転を生じないピクセルユニットとの間の充電量の差を縮め、以って、ディスプレイ輝度における差異を減少させ、表示効果を向上させることができる。
【００４５】
従来技術との相違点として、本発明の液晶ディスプレイパネルにおいて、同一の行にあるピクセルユニットに接続されている２本の走査線上のゲート駆動信号は異なる駆動能力を有し、充電時に極性反転を生じるピクセルユニットと、充電時に極性反転を生じないピクセルユニットとの間の充電量の差を縮め、以って、ディスプレイ輝度における差異を減少させ、表示効果を向上させることができる。
【００４６】
上述の内容は本発明の実施形態にすぎないため、本発明に係る特許請求の範囲を限定するものではない。本発明の明細書及び添付の図面の内容を利用して創出された同等の効果を有する構造又は同等の効果を有するプロセスへの変換、或いは他の関連する技術分野への直接又は間接的な応用は、いずれも本発明の特許請求の範囲に属する。
【図１】
2020535470.tif 000003
【図２】
2020535470.tif 000004
【図３】
2020535470.tif 000005
【図４】
2020535470.tif 000006
【国際調査報告】
2020535470.tif 000007
2020535470.tif 000008
2020535470.tif 000009
2020535470.tif 000010